(57)【要約】【課題】側方から非常に強い雨水等を含む風が吹いた場合でも、十分な防水性能を確保できるようにする。【解決手段】屋根の棟部分に設けた屋根開口部７の上方に、排気孔２０を有する換気棟板１１が設けられ、換気棟板１１の内側に屋根開口部７からの排気を排気孔２０から外部に排出するように換気通路３９が形成された換気棟において、排気孔２０から換気棟板１１内に侵入する風の所定以上の風圧により揺動して換気通路３９を狭めるように、邪魔板部材１３が換気棟板１１の内側に揺動自在に設けられている。【選択図】      図２
2005009197.tif 000002
【特許請求の範囲】
【請求項１】
屋根の棟部分に設けた屋根開口部（７）の上方に、排気孔（２０）を有する換気棟板（１１）が設けられ、換気棟板（１１）の内側に、屋根開口部（７）からの排気を排気孔（２０）から外部に排出するように換気通路（３９）が形成された換気棟において、
前記排気孔（２０）から前記換気棟板（１１）内に侵入する風の所定以上の風圧により揺動して前記換気通路（３９）を狭めるように、邪魔板部材（１３）が換気棟板（１１）の内側に揺動自在に設けられていることを特徴とする換気棟。
【請求項２】
前記換気棟板（１１）は、屋根面（４ａ、４ｂ）に沿うように形成された一対の傾斜部（１５）と、傾斜部（１５）の棟側端から下方に突出した起立部（１６）とを有し、前記排気孔（２０）は起立部（１６）に設けられ、排気孔（２０）から換気棟板（１１）内に侵入した水を止めるように、前記邪魔板部材（１３）が排気孔（２０）に対応して換気棟板（１１）の内側に設けられていることを特徴とする請求項１に記載の換気棟。
【請求項３】
前記排気孔（２０）から侵入する外気を堰き止めるように、排気孔（２０）に対向して換気棟板（１１）の内側に袋状部材（１４）が設けられ、邪魔板部材（１３）と袋状部材（１４）との間に換気通路（３９）の一部を構成する開閉通路（３９ａ）が形成されており、前記邪魔板部材（１４）が、排気孔（２０）から換気棟板（１１）内に侵入する風の所定以上の風圧によって揺動することにより、前記開閉通路（３９ａ）が狭められることを特徴とする請求項２に記載の換気棟。
【請求項４】
前記排気孔（２０）は、前記起立部（１６）に庇部（２１）を軒側に切り起こすことにより形成されていることを特徴とする請求項２又は３に記載の換気棟。
【請求項５】
前記換気棟板（１１）の下方に、換気棟板（１１）との間で前記換気通路（３９）を形成するように下部材（１２）が設けられ、前記邪魔板部材（１４）は、換気棟板（１１）又は下部材（１２）とは別体に構成されて、排気孔（２０）から換気棟板（１１）内に侵入する風の所定以上の風圧により揺動して換気通路（３９）を狭めるように、換気棟板材（１１）又は下部材（１２）に弾性体（４７）を介して連結されていることを特徴とする請求項１〜４のいずれかに記載の換気棟。
【請求項６】
前記換気棟板（１１）の下方に、換気棟板（１１）との間で前記換気通路（３９）を形成する下部材（１２）が設けられ、前記邪魔板部材（１４）は、換気棟板（１１）又は下部材（１２）とは一体に構成されて、排気孔（２０）から換気棟板（１１）内に侵入する風の所定以上の風圧により揺動して換気通路（３９）を狭めるように、弾性変形自在又は撓み自在に形成されていることを特徴とする請求項１〜４のいずれかに記載の換気棟。
【発明の詳細な説明】
【０００１】
【発明の属する技術分野】
本発明は、住宅等の屋根に設置される換気棟に関するものである。
【０００２】
【従来の技術】
住宅等の屋根に設置される換気棟には、図１１に示すように、屋根の棟部分に設けた屋根開口部７１の上方に、棟を挟む一対の屋根面間に跨るように換気棟板７２が設けられ、該換気棟板７２は、一対の屋根面に沿うように山形状に形成された一対の傾斜部７３を有し、一対の傾斜部７３に排気孔７６が設けられ、換気棟板７２の下方に、棟板受け７７が設けられ、排気孔７６の下方に、棟板受け７７に一体に形成した止水部材７８が設けられて、止水部材７８と棟板受け７７との間に、屋根開口部７１からの排気を棟側から軒側に流して排気孔７６から外部に排出するように換気通路７９が形成されたものがある（例えば、特許文献１）。
【０００３】
【特許文献１】
特開平９−７８７８２号公報
【０００４】
【発明が解決しようとする課題】
しかしながら、例えば暴風雨等の側方から非常に強い風が吹いた場合に、風にのって排気孔７６から雨水等が侵入して、止水部材７８と棟板受け７７との間の換気通路７９から屋根開口部７１側に流出して、防水性が損なわれる問題があった。
本発明は上記問題点に鑑み、側方から非常に強い雨水等を含む風が吹いた場合でも、十分な防水性能を確保できるようにしたものである。
【０００５】
【課題を解決するための手段】
この技術的課題を解決するための本発明の技術的手段は、屋根の棟部分に設けた屋根開口部の上方に、排気孔を有する換気棟板が設けられ、換気棟板の内側に屋根開口部からの排気を排気孔から外部に排出するように換気通路が形成された換気棟において、前記排気孔から前記換気棟板内に侵入する風の所定以上の風圧により揺動して前記換気通路を狭めるように、邪魔板部材が換気棟板の内側に揺動自在に設けられている点にある。
【０００６】
本発明の他の技術的手段は、前記換気棟板は、屋根面に沿うように形成された一対の傾斜部と、傾斜部の棟側端から下方に突出した起立部とを有し、前記排気孔は起立部に設けられ、排気孔から換気棟板内に侵入した水を止めるように、前記邪魔板部材が排気孔に対応して換気棟板の内側に設けられている点にある。
本発明の他の技術的手段は、前記排気孔から侵入する外気を堰き止めるように、排気孔に対向して換気棟板の内側に袋状部材が設けられ、邪魔板部材と袋状部材との間に換気通路の一部を構成する開閉通路が形成されており、前記邪魔板部材が、排気孔から換気棟板内に侵入する風の所定以上の風圧によって揺動して袋状部材に近づくことにより、前記換気通路が狭められる点にある。
【０００７】
本発明の他の技術的手段は、前記排気孔は、前記起立部に庇部を軒側に切り起こすことにより形成されている点にある。
本発明の他の技術的手段は、前記換気棟板の下方に、換気棟板との間で前記換気通路を形成するように下部材が設けられ、前記邪魔板部材は、換気棟板又は下部材とは別体に構成されて、排気孔から換気棟板内に侵入する風の所定以上の風圧により揺動して換気通路を狭めるように、換気棟板材又は下部材に弾性体を介して連結されている点にある。
【０００８】
本発明の他の技術的手段は、前記換気棟板の下方に、換気棟板との間で前記換気通路を形成する下部材が設けられ、前記邪魔板部材は、換気棟板又は下部材とは一体に構成されて、排気孔から換気棟板内に侵入する風の所定以上の風圧により揺動して換気通路を狭めるように、弾性変形自在又は撓み自在に形成されている点にある。
【０００９】
【発明の実施の形態】
以下、本発明の実施の形態を図面に基づいて説明する。
図１〜７は、本発明に係る第１の実施の形態の換気棟の構造を示している。
図１において、１は棟木、２は垂木、３は野地板で、棟木１と垂木２とで組み上げた屋根の骨組み状に貼り付けられている。野地板３の上面に、アスファルトルーフィング等の防水シート５が敷かれ、その上にスレート瓦等の屋根材６が葺かれている。
【００１０】
屋根４の棟部分に、野地板３及び屋根材６等を切り欠いてなる屋根開口部７が設けられ、この屋根開口部７の上方に、棟を挟む一対の屋根面４ａ、４ｂ間に跨るように換気棟１０が設けられている。なお、８は屋根開口部７に対応して設けられた水切り部材である。
図１〜３において、換気棟１０は、換気棟板１１と、左右一対の下部材１２と、左右一対の邪魔板部材１３と、左右一対の袋状部材１４とを有している。
換気棟板１１は、一対の屋根面４ａ、４ｂに沿うように山形状に形成された一対の傾斜部１５と、一対の傾斜部１５の外側端（軒側端）から下方に突出された一対の起立部１６と、一対の起立部１６の下端から屋根面４ａ、４ｂに添うように屋根流れ方向に突出された一対の設置部１７とを有している。換気棟板の設置部１７の外端部に、下側にＵ字状に折り返してなる折り返し部１９が設けられている。
【００１１】
換気棟板１１の起立部１６には、排気孔２０が設けられ、この排気孔２０は、桁行き方向（棟方向）に間隔をおいて複数設けられている。排気孔２０は、起立部１６に庇部２１を軒側に切り起こすことにより形成され、庇部２１は、円弧状に湾曲形成されている。
したがって、この庇部２１は、排気孔２０の軒側上方に位置し且つ上方から排気孔２０を覆うようになっており、これにより、例えば、換気棟板１１の上方から雪などが降った場合に、その雪で直接排気孔２０を塞ぐことを防止することができる。
【００１２】
換気棟板１１の傾斜部１５には、換気棟板１１の固定用の取付孔２２がバーリングにより環状に形成され、この換気棟板１１の取付孔２２の開口縁部２３は上方に突出したものとなっている。
下部材１２は、一対の傾斜部１５の外側部側（軒側）の下方にそれぞれ配置され、防水材２４を介して屋根面４ａ、４ｂ上に設置されている。下部材１２は、換気棟板１１の傾斜部１５に沿うように傾斜し且つ傾斜部１５に当接する当接部２７と、この当接部２７の一端（棟側）から下方に突出した起立部２８と、この起立部２８の下端から棟側に突出する中板部２９と、この中板部２９の棟側端から下方に突出した下垂部３０と、この下垂部３０の下側端から屋根流れ方向の軒側に突出し且つ屋根面４ａ、４ｂに沿って配置される下板部３１とを有している。この当接部２７と起立部２８と中板部２９と下垂部３０と下板部３１とは、帯状の長い板を屈曲して成形したものであり、一体形成されている。
【００１３】
下部材１２の当接部２７には、下部材１２の固定用の取付孔２５が設けられ、下部材１２の中板部２９には、排気口３２が設けられている。下部材１２の下板部３１の軒側には、排水口３３が設けられている。また、下部材１２の下板部３１には、下部材１２の固定用の取付孔３４が、バーリングにより環状に形成され、この取付孔３４の開口縁部３５は上方に突出したものとなっている。
したがって、図２に示すように、この下部材１２の当接部２７を、換気棟板１１の下側から傾斜部１５に当接し、下板部３１の軒側端を換気棟板１１の折り返し部１９に嵌合して、スペーサ部材３６を換気棟板１１の取付孔２２と下部材１２の取付孔２５、３４に挿入して、スペーサ部材３６を傾斜部１５と下板部３１との間に介在させ、換気棟板１１の上方から釘、ねじ、ビス等の固定具３７をスペーサ部材３６の挿通孔３８に挿入して、固定具３７を野地板３に打ち付けることによって、換気棟板１１と下部材１２とを屋根面４ａ、４ｂに固定することができるようになっている。
【００１４】
このように、換気棟板１１と下部材１２とを屋根面４ａ、４ｂに固定することにより、換気棟板１１の内側において、換気棟板１１と下部材１２との間に屋根開口部７からの排気を排気孔２０から外部に排出するように換気通路３９が形成される。即ち、換気通路３９は、換気棟板１１の傾斜部１５と下部材１２の起立部２８、中板部２９とで囲まれた空間部分と、下部材１２の当接部２７、起立部２８、中板部２９、下垂部３０、下板部３１、及び換気棟板１１の傾斜部１５、起立部１６等で囲まれる空間部分とに亘って上下に迂回するように形成されている。
【００１５】
袋状部材１４は、換気棟板１１の内側の下方で、排気孔２０に対向するように設けられており、下部材１２の下板部３１に重合する設置部４０と、この設置部４０の棟側端から起立して換気棟板１１の起立部１６に対向する立上板部４１と、立上板部４１の上端から軒側へ突出する風切り部４２とを有している。そして、この設置部４０と、立上板部４１と、風切り部４２とは、帯状の長い板を屈曲して成形したものであり、一体形成されている。袋状部材１４の設置部４０には、下板部３１の排水口３３に対応する位置に排水口４３が設けられている。
【００１６】
袋状板部１４の立上板部４１及び風切り部４２は、排気孔２０に対応して配置しており、これにより、排気孔２０から侵入する外気の勢いを堰き止めるようになっている。
この袋状部材１４は、換気棟板部材１１と下部材１２とを固定具３７により固定する際に、下部材１２の下板部３１に設置部４０を重合させ、設置部４０の軒先側端部を換気棟板１１の折り返し部１９に嵌合することによって、袋状部材１４は換気棟板１１と下部材１２とにより挟持される。
【００１７】
なお、図１０に示すように、この袋状板部材１４の設置部４０と下部材１２の下板部３１とを２つ折り状に折り曲げて、袋状板部材１４と下板部１２とを一体的に構成してもよい。
邪魔板部材１３は、換気棟板１１の内側の下方、即ち、下部材１２の当接部２７の軒側端部に揺動自在に設けられている。この邪魔板部材１３は、屋根流れ方向に換気棟板１１の起立部１６（排気孔２０）と袋状部材１４との間に配置されており、邪魔板部材１４と袋状部材１３との間の空間部分は、換気通路３９の一部を構成する開閉通路３９ａとされている。
【００１８】
この邪魔板部材１３は、帯状の長い板を側面断面視で略くの字状に屈曲したのもので、換気棟板１１又は下部材１２とは別体に構成されている。この邪魔板部材１３は、取付板部４５と止水部４６とを有し、取付板部４５と下部材１２の当接部２７の軒側端部との間にゴム等の弾性体４７が設けられ、リベット等の締結具４８を換気棟板１１の傾斜部１５と、当接部２７と、邪魔板部材１３の取付板部４５及び弾性体４７とに打ち付ける（締結する）ことにより、邪魔板部材１３は、下部材１２に弾性体４７を介して連結されている。
【００１９】
邪魔板部材１３の止水部４６は、取付板部４５の軒側端部から下方（屋根面側）に突出すると共に、下方にいくにしたがって徐々に棟側（袋状部材１４側）に向かうように傾斜しており排気孔２０に対応する位置に配置されている。
即ち、邪魔板部材１３が揺動していない静止した状態において、邪魔板部材１３の止水部４６の下側端部が、排水孔２０の下側開口縁部よりも屋根面側（下方側）に突出するように止水部４６は配置されており、これにより、邪魔板部材１３の止水部４６は、排気孔２０から水等が換気棟板１１内に侵入したときに、その水が邪魔板部材１３よりも棟側に侵入しないように止水するようになっている。
【００２０】
邪魔板部材１３の止水部４６は、排気孔２０から換気棟板１１内に侵入する風の所定以上の風圧を受けると、取付板部４５が上方に押し上げられて弾性体４７が収縮し、風の強さに応じて袋状部材１４の風切り部４２（袋状部材１４の一部）に近づくように揺動して、邪魔板部材１３と袋状部材１４との間の開閉通路３９ａを狭め、邪魔板部材１３の止水部４６が袋状部材１４の風切り部４２に当接して、開閉通路３９ａを閉鎖するようになっている。
図５〜７に示すように、スペーサ部材３６は、ゴムや弾性を有する合成樹脂等により円筒状に形成され、スペーサ部材３６の軸心方向に、釘等の固定具３７を挿通する挿通孔３８が形成され、スペーサ部材３６の上端部に、換気棟板１１の取付孔２２の開口縁部２３を係止する上係止部５１が設けられ、スペーサ部材３６の下端部に、下部材１２の取付孔３４の開口縁部３５を係止する下係止部５１が設けられている。
【００２１】
上係止部５０は、スペーサ部材３６の上端部外周面に没入形成した環状溝により構成され、上係止部５０に換気棟板１１の取付孔２２の開口縁部２３が外嵌されて、上係止部５０で取付孔２２の開口縁部２３を上下移動不能に係止している。下係止部５１は、スペーサ部材３６の下端部に設けたフランジ部により構成され、下係止部５１の外径は下部材１２の取付孔３４の孔径より大に形成され、下係止部５１は取付孔３４に挿通不能になっており、取付孔３４の開口縁部３５がスペーサ部材３６の下係止部５１の上方に外嵌されて、下係止部５１で取付孔３４の開口縁部３５の下方移動を規制するように係止している。
【００２２】
スペーサ部材３６の上係止部５０より上方に、上方に向けて徐々に小径となるテーパー部５２が設けられ、テーパー部５２は取付孔２２、２５に下側から挿通可能とされている。スペーサ部材３６の下係止部５１より上方側は、その外径が取付孔３４の孔径と略同一に形成され、下取付孔３４に挿通可能とされている。上記の如く上係止部５０で取付孔２２の開口縁部２３を上下移動不能となるように係止すると共に、下係止部５１で取付孔３４の開口縁部３５の下方移動を規制するように係止することにより、スペーサ部材３６で換気棟板１１と下部材１２とを互いに離間しないように締結している。下部材１２の接当部２７の傾斜部１５への接当及び下板部３１の折り返し部１９への圧接により、換気棟板１１と下部材１２との近接方向への移動が規制され、これにより、換気棟板１１と下部材１２とが相対移動不能に固定されている。
【００２３】
上記実施の形態によれば、屋根開口部７から排出された排気は、図４に示すように矢印ａで示す如く換気通路３９を通って排気孔２０から外部へ排出される。即ち、屋根開口部７から排出された排気は、下部材１２の排気口３２を通って、邪魔板部材１３と袋状部材１４との間の開閉通路３９ａに入り、開閉通路３９ａが開状態であれば、この開閉通路３９ａを通過して排気孔２０から外部へ流出する。
一方、排気孔２０から強い風が換気棟板１１内（換気通路３９）に侵入して、その風が所定以上の風圧であれば、図４の鎖線で示しように、風の風圧により邪魔板部材１３の止水部４６が袋状部材１４側へ押されて揺動し、これにより、止水部４６と風切り部４２との間の開閉通路３９ａが閉鎖する。従って、例えば、暴風雨や暴風雪であっても、排気孔２０から侵入した雨水等が、止水部４６と風切り部４２との間の開閉通路３９ａから屋根開口部７側に流出するのを、邪魔板部材１３によって確実に防ぐことができて、十分な防水性能を確保することができる。
【００２４】
また、邪魔板部材１３が袋状部材１４側へ揺動したときに、邪魔板部材１３の止水部４６が袋状部材１４の風切り部４２に当接するようになっているので、風切り部４２がストッパとして働き、確実に開閉通路３９ａを閉鎖することが可能である。
なお、図１０の鎖線で示すように、邪魔板部材１３が袋状部材１４側に揺動して開閉通路３９ａを閉鎖したときに、邪魔板部材１３の止水部４６の先端部が袋状部材１４の立上板部４１に当接し、且つ、邪魔板部材１３の止水部４６の中途部が風切り部４２に当接するようにすれば、止水部４６の先端部と止水部４６の中途部との２箇所で開閉通路３９ａを閉鎖することができるので、より一層防水性能を向上させることができる。
【００２５】
また、排気孔２０から換気棟板１１内に侵入した雨水等の水は、袋状部材１４の設置部４０を伝わって、袋状部材１４の排水口４３及び下部材１２の排水口３３から屋根面４ａ、４ｂ上に排出される。排水口３３、４３がオーバーブローしても、残った水は、折り返し部１９側から屋根面４ａ、４ｂ上に排出される。このとき、下部材１２と屋根面４ａ、４ｂとの間に防水材２４が介在されているので、下部材１２と屋根面４ａ、４ｂとの間に排水路を確保することができる。従って、換気棟板１１内に侵入した水を、屋根面４ａ、４ｂ上にスムーズに排水することができる。
【００２６】
また、排気孔２０から侵入する外気による風の勢いを袋状部材１４により効果的に抑制することができ、袋状部材１４の風切り部４２によって、袋状部材１４よりも棟側に水が侵入するのを止めることができる。
次に、本発明に係る第２の実施の形態の換気棟の構造について説明する。
図８に示すように、上記第１の実施の形態と同様に邪魔板部材１３は、換気棟板１１及び下部材１２とは別体に構成されている。この邪魔板部材１３は、第１の実施の形態とは異なり、換気棟板１１の傾斜部１５のみに弾性体４７を介して連結されて、邪魔板部材１３は、排気孔２０から換気棟板１１内に侵入する風の所定以上の風圧により揺動して開閉通路３９ａを狭めるように揺動自在に設けられている。これにより、第１の実施の形態と同様に、暴風雨や暴風雪であっても、十分な防水性能を確保することができる。なお、その他の点は、第１の実施の形態と同様の構成である。
【００２７】
次に、本発明に係る第３の実施の形態の換気棟の構造について説明する。
図９に示すように、邪魔板部材１３は、下部材１２と一体に形成され、邪魔板部材１３の止水部４６は、下部材１２の当接部２７から屋根面側に突出すると共に、下方にいくにしたがって徐々に棟側に向かうように傾斜している。また、邪魔板部材１３が揺動していない静止した状態において、邪魔板部材１３の止水部４６の下側端部が、排水孔２０の下側開口縁部よりも屋根面側（下方側）に突出するように止水部４６は配置している。
【００２８】
この止水部４６は、弾性変形又は撓み変形し易くなるように、その板厚が薄く形成されており（例えば、０．３５ｍｍ以下）、排気孔２０から換気棟板１１内に侵入する風の所定以上の風圧を受けることにより袋状部材１４側に揺動して、開閉通路３９ａを狭めるように、弾性変形自在又は撓み自在に形成されている。
これにより、第１の実施の形態と同様に、暴風雨や暴風雪であっても、十分な防水性能を確保することができる。なお、その他の点は、第１の実施の形態と同様の構成である。
【００２９】
また、上記第３の実施の形態では、邪魔板部材１３の止水部４６の板厚を薄くすることにより、止水部４６を弾性変形又は撓み変形し易くなるようにしているが、これに代え、邪魔板部材１３の止水部４６の材質を弾性変形又は撓み変形自在のものに変更することによって、排気孔２０から換気棟板１１内に侵入する風の所定以上の風圧を受けることにより袋状部材１４側に揺動して開閉通路３９ａを狭めるようにしてもよい。
さらに、第３の実施の形態では、邪魔板部材１３を下部材１２と一体に形成するようにしているが、これに代え、邪魔板部材１３を、換気棟板１１と一体に形成し、例えば弾性変形又は撓み変形し易くなるように形成して、排気孔２０から換気棟板１１内に侵入する風の所定以上の風圧を受けることにより袋状部材１４側に揺動して開閉通路３９ａを狭めるようにしてもよい。
【００３０】
【発明の効果】
本発明によれば、側方から非常に強い雨水等を含む風が吹いた場合でも、十分な防水性能を確保できる。
【図面の簡単な説明】
【図１】本発明の第１の実施の形態を示す換気棟の概略図である。
【図２】同換気棟の固定具及び邪魔板部材付近の断面図である。
【図３】同換気棟板と下部材と邪魔板部材と袋状部材の概略斜視図である。
【図４】同換気棟の換気通路及び開閉通路を流れる排気の説明図である。
【図５】同スペーサ部材の正面図である。
【図６】同スペーサ部材の平面図である。
【図７】同スペーサ部材の断面図である
【図８】第２の実施の形態を示す換気棟の邪魔板部材付近の断面図である。
【図９】第３の実施の形態を示す換気棟の邪魔板部材付近の断面図である。
【図１０】袋状部材と下部材とを一体形成したときの、概略断面図である。
【図１１】従来例を示す概略断面図である。
【符号の説明】
４ａ、４ｂ  屋根面
７      屋根開口部
１０    換気棟
１１    換気棟板
１２    下部材
１３    邪魔板部材
１４    袋状部材
１５    傾斜部
１６    起立部
２０    排気孔
３９    換気通路
３９ａ  開閉通路
【図１】
2005009197.tif 000003
【図２】
2005009197.tif 000004
【図３】
2005009197.tif 000005
【図４】
2005009197.tif 000006
【図５】
2005009197.tif 000007
【図６】
2005009197.tif 000008
【図７】
2005009197.tif 000009
【図８】
2005009197.tif 000010
【図９】
2005009197.tif 000011
【図１０】
2005009197.tif 000012
【図１１】
2005009197.tif 000013